(57)【要約】【課題】主に夜行性の虫を効率よく捕獲できるようにする。【解決手段】光源の近傍に設置され、光源に集まる虫を捕獲するための虫捕獲器１において、光源から放射される光を反射して光源とは別の疑似光源を形成する疑似光源部３と、虫を捕獲する捕獲部４とを備えている。【選択図】図１
2014096997.tif 000002
【特許請求の範囲】
【請求項１】
光源の近傍に設置され、該光源に集まる虫を捕獲するための虫捕獲器において、
上記光源から放射される光を反射して上記光源とは別の疑似光源を形成する疑似光源部と、
虫を捕獲する捕獲部とを備えていることを特徴とする虫捕獲器。
【請求項２】
請求項１に記載の虫捕獲器において、
上記疑似光源部は、紫外線を反射する第１領域と、該第１領域よりも紫外線の反射率が低い第２領域とを有することを特徴とする虫捕獲器。
【請求項３】
請求項２に記載の虫捕獲器において、
上記疑似光源部の第１領域はアルミニウムで構成され、上記第２領域は黒色に着色されていることを特徴とする虫捕獲器。
【請求項４】
請求項１から３のいずれか１つに記載の虫捕獲器において、
上記疑似光源部は筒状に形成され、該疑似光源部の内部に上記捕獲部が配置されていることを特徴とする虫捕獲器。
【発明の詳細な説明】
【技術分野】
【０００１】
本発明は、例えば電灯等に集まる虫を捕獲するための虫捕獲器に関するものである。
【背景技術】
【０００２】
従来から、虫の感覚（視覚等）に基づいて誘引効果の高い色彩や形状を組み合わせて虫の捕獲率を向上させる試みが行われている。
【０００３】
例えば特許文献１に開示されている害虫捕獲用部材は、基材シートと、基材シート表面に設けられた誘引色層、紫外線反射層及び透明な粘着剤層とを備えている。特許文献１では、誘引色層を基材シート表面の全体に設け、紫外線反射層を誘引色層上に放射状の細線を描くように設けており、粘着剤層は誘引色層を被覆するように設けている。
【０００４】
ところで、虫は紫外線に誘引される性質を持っていることが一般的に知られており、特許文献１ではこの性質を利用している。すなわち、植物の多くの花は虫を引き寄せるための模様を持っており、例えば、花の蜜腺の周りには紫外線の反射率が高い斑点や筋があり、これらは紫外線照射下では紫外線を反射して虫から見ると目立って認識される。これは蜜の存在場所を虫に教えるための標識的な働きをし、虫が誘引されていく。特許文献１の害虫捕獲用部材では、花の蜜腺の周りの模様を紫外線反射層で人工的に作り出して虫の誘引効果を得ている。
【先行技術文献】
【特許文献】
【０００５】
【特許文献１】特開２００７−３００８９０号公報
【発明の概要】
【発明が解決しようとする課題】
【０００６】
特許文献１の害虫捕獲用部材は、上述した虫の誘引メカニズムを考慮すると、花に集まる虫を捕獲対象としたものである。ところが、虫の中には夜間に主に活動する夜行性の虫もおり、また夜行性の虫の中には花に集まらない虫もいるので、特許文献１の害虫捕獲用部材では効果が低いと考えられる。つまり、夜行性の虫をいかにして効率よく捕獲するかが問題となっている。  
【０００７】
そこで、夜行性の虫は光に集まることが知られているので、光の周りに粘着剤を吊しておく等の方法が考えられるが、捕獲効率はさほど高くないと考えられる。
【０００８】
本発明は、かかる点に鑑みてなされたものであり、その目的とするところは、主に夜行性の虫を効率よく捕獲できるようにすることにある。
【課題を解決するための手段】
【０００９】
上記目的を達成するために、本発明では、光源の近傍に疑似光源を形成することで虫を混乱させて疑似光源に向かわせて捕獲するようにした。
【００１０】
第１の発明は、光源の近傍に設置され、該光源に集まる虫を捕獲するための虫捕獲器において、
上記光源から放射される光を反射して上記光源とは別の疑似光源を形成する疑似光源部と、
虫を捕獲する捕獲部とを備えていることを特徴とするものである。
【００１１】
この構成によれば、虫捕獲器を例えば家の玄関灯の近傍に設置すると、玄関灯から放射される光を反射して玄関灯とは別の疑似光源が疑似光源部によって玄関灯の近傍に形成される。夜行性の虫は、玄関灯や疑似光源部の光に誘引されて玄関灯や疑似光源部に近づいていく。ある程度近づくと、２つの光源が存在していることで、虫は少なくとも２方向からの光を強く感じて混乱する。このように虫の動きを混乱した動きにすることで、虫捕獲器の捕獲部で捕獲される虫を増やすことが可能になる。
【００１２】
第２の発明は、第１の発明において、
上記疑似光源部は、紫外線を反射する第１領域と、該第１領域よりも紫外線の反射率が低い第２領域とを有することを特徴とするものである。
【００１３】
この構成によれば、疑似光源部において紫外線の反射率の相違によるコントラストを作り出すことが可能になる。これにより、虫が疑似光源部に誘引されやすくなる。
【００１４】
第３の発明は、第２の発明において、
上記疑似光源部の第１領域はアルミニウムで構成され、上記第２領域は黒色に着色されていることを特徴とするものである。
【００１５】
この構成によれば、虫がより一層疑似光源部に誘引されやすくなる。
【００１６】
第４の発明は、第１から３のいずれか１つの発明において、
上記疑似光源部は筒状に形成され、該疑似光源部の内部に上記捕獲部が配置されていることを特徴とするものである。
【００１７】
この構成によれば、疑似光源部の内部において虫を捕獲するので、捕獲された虫が外部から見えにくくなり、例えば玄関等に虫捕獲器を設置する場合に見栄えの悪化を回避することが可能になる。
【発明の効果】
【００１８】
第１の発明によれば、光源から放射される光を反射して疑似光源を形成するようにしたので、主に夜行性の虫を効率よく捕獲することができる。
【００１９】
第２の発明によれば、紫外線の反射率の相違によってコントラストを作り出すことができるので、虫が疑似光源部に誘引されやすくなり、捕獲効率を高めることができる。
【００２０】
第３の発明によれば、アルミニウムと黒色とでコントラストを作り出すようにしたので、虫がより一層疑似光源部に誘引されやすくなり、捕獲効率をさらに高めることができる。
【００２１】
第４の発明によれば、筒状に形成した疑似光源部の内部で虫を捕獲するようにしたので、捕獲した虫を見えにくくすることができる。
【図面の簡単な説明】
【００２２】
【図１】実施例１に係る虫捕獲器の斜視図である。
【図２】図１のII−II線断面図である。
【図３】虫捕獲器の使用状態を説明する図である。
【図４】全害虫の捕獲数を光源毎に示すグラフである。
【図５】蛾の捕獲数を光源毎に示すグラフである。
【図６】実施例２に係る虫捕獲器の斜視図である。
【図７】実施例３に係る虫捕獲器の斜視図である。
【図８】実施例４に係る虫捕獲器の斜視図である。
【図９】実施例５に係る虫捕獲器の斜視図である。
【図１０】実施例６に係る虫捕獲器の斜視図である。
【図１１】試験要領を説明する図である。
【図１２】実施例１〜６の全害虫の捕獲数を示すグラフである。
【図１３】実施例１〜６の蛾の捕獲数を示すグラフである。
【発明を実施するための形態】
【００２３】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２４】
図１は、本発明の実施形態に係る虫捕獲器１の斜視図である。この虫捕獲器１は、例えば家の玄関灯や外灯、街路灯、屋外灯等の光源の近傍に設置されて使用するものであり、主に夜間に光源に集まる害虫を捕獲するためのものである。
【００２５】
図２にも示すように、虫捕獲器１は、長方形の基板２と、基板２の表面に層状に設けられた疑似光源部３と、疑似光源部３の表面に層状に設けられた捕獲部としての無色透明な粘着剤層４とを備えている。基板２は、例えば樹脂板、金属板、ボール紙等の容易に変形しない材料で構成することができる。基材２の形状は、長方形に限定されるものではなく、例えば正方形、三角形、円形等であってもよい。
【００２６】
疑似光源部３は、上記光源から放射される光（紫外線を含む）を反射して該光源とは別の疑似光源を該光源の近傍に形成するためのものである。疑似光源部３は、アルミニウムで構成されたアルミニウム領域（第１領域）３ａと、黒色に着色された黒色領域（第２領域）３ｂとを有している。アルミニウム領域３ａは、アルミニウム色であるので、可視光の他、紫外線も反射する。黒色領域３ｂは、アルミニウム領域３ａよりも紫外線の反射率が低い。この実施形態では、アルミニウム領域３ａの大きさは１５０ｍｍ×１００ｍｍであり、黒色領域３ｂの大きさは５０ｍｍ×５０ｍｍである。
【００２７】
粘着剤層４は、害虫を粘着力によって捕獲することができる粘着剤で構成された層である。この粘着剤は、従来周知の害虫捕獲用の各種粘着剤を用いることができる。粘着剤層４は、アルミニウム領域３ａ及び黒色領域３ｂの全面に粘着剤を塗布することによって形成されている。粘着剤層４が無色透明であるため、アルミニウム領域３ａ及び黒色領域３ｂの色は粘着剤層４があっても無くても同じに見える。粘着剤層４の表面積は、例えば１００ｃｍ２以上４００ｃｍ２以下が好ましい。
【００２８】
尚、粘着剤層４に顔料やインクを混入して粘着剤層４をアルミニウム色や黒色に着色してもよい。この場合、粘着剤層４に混入した顔料やインクが疑似光源部となる。
【００２９】
上記虫捕獲器１は、図３に示すように玄関灯１００の下に吊り下げて使用することができる。このようにして使用する場合、虫捕獲器１は、吊り下げ部材５を備えているのが望ましい。虫捕獲器１と玄関灯１００との離間距離は、例えば１ｍ以下が好ましい。虫捕獲器１が玄関灯１００から１ｍよりも大きく離れると、疑似光源が玄関灯１００から離れてしまい、害虫が虫捕獲器１を疑似光源と認識せずに捕獲効率が低下するからである。つまり、本発明における光源の近傍とは、光源から１ｍ以内の範囲のことである。
【００３０】
疑似光源部３の色は、上記したアルミニウム色＋黒色の他、例えば、全体が黒、赤、黄色、白、アルミニウム色の単色であってもよいし、白色＋黒色であってもよい。白色＋黒色とする場合には、上記アルミニウム領域３ａに相当する領域を白色とし、上記黒色領域３ｂに相当する領域を黒色とする。黒色領域は、白色領域に比べて紫外線の反射率が低い。
【００３１】
図４は、疑似光源部３の色を、全体が黒、赤、黄、白、アルミニウム色の単色である場合、白色＋黒色の場合、アルミニウム色＋黒色の場合で害虫の捕獲数がどのように変化するかを実験した結果を示すグラフである。光源の種類は、白熱灯、蛍光灯、ＬＥＤ（ｌｉｇｈｔ ｅｍｉｔｔｉｎｇ ｄｉｏｄｅ）の３種類である。白熱灯、蛍光灯、ＬＥＤは全て４０形であり、全光束量は４８５ｌｍである。
【００３２】
実験は各光源で４回行っており、縦軸は、捕獲した全害虫の平均数を示している。試験条件は、図３に示すように各虫捕獲器１を玄関灯１００の直下に吊り下げ、隣り合う虫捕獲器１の間隔は水平方向に２．５ｍとしている。玄関灯１００と虫捕獲器１との距離は１５ｃｍである。場所は広島県廿日市市である。
【００３３】
日が落ちて暗くなってから玄関灯１００を点灯し、翌朝、害虫の捕獲数を計数した。
【００３４】
全ての場合において、虫捕獲器１が疑似光源部３を備えているので、疑似光源部３が、玄関灯１００から放射される光を反射して玄関灯１００とは別の疑似光源を形成することになる。害虫は、玄関灯１００や疑似光源部３の光に誘引されて玄関灯１００や疑似光源部３に近づいていく。ある程度近づくと、２つの光源３，１００が存在していることで、害虫は少なくとも２方向からの光（紫外線）を強く感じて混乱する。このように害虫の動きを混乱した動きにすることで、虫捕獲器１の粘着剤層４に付着し易くなり、捕獲数を増やすことができる。
【００３５】
図４の実験結果から分かるように、３つの光源全ておいて、２色タイプ、即ち、白色＋黒色の場合及びアルミニウム色＋黒色の場合の捕獲数が他の単色タイプの場合に比べて多い。これは、疑似光源部３において紫外線の反射率の相違によるコントラストを作り出すことができるからである。コントラストがあることで、虫が疑似光源部３に誘引されやすくなる。
【００３６】
尚、ＬＥＤの場合は、白熱灯や蛍光灯の場合に比べて捕獲数が少ないが、これはＬＥＤから放射される紫外線量が白熱灯や蛍光灯の場合に比べて少ないからである。このことからも害虫が紫外線に集まり易いことが分かる。
【００３７】
図５は、図４に示す実験と同様な実験を行い、縦軸を蛾の捕獲数とした場合の結果を示すグラフである。白熱灯や蛍光灯の場合には、アルミニウム色＋黒色の場合が好適であることが分かる。
【００３８】
上述した図１は本発明の実施例１である。本発明の実施例２は、図６に示している。この実施例２は、基材２を折り曲げた形状としている。
【００３９】
本発明の実施例３は図７に示している。この実施例３の虫捕獲器１の基板２は、断面三角形の筒状に形成されている。この基板２の外面及び内面の両面が疑似光源部３とされているので、疑似光源部３が筒状をなしている。基材２の内面の疑似光源部３には、粘着剤層４が設けられているが、外面の疑似光源部３には、粘着剤層４が設けられていない。従って、実施例３の虫捕獲器１を使用すると、害虫が基材２の外面では捕獲されず、内面にのみ捕獲されるので、虫捕獲器１の外側から見たとき、害虫が見えにくくなる。これにより、虫捕獲器１を例えば玄関等に設置する場合に、見栄えの悪化を回避できる。
【００４０】
図８は本発明の実施例４である。実施例４の基材２は、実施例３と同様に筒状に形成されている。基材２の内面はアルミニウム領域３ａとされ、外面は黒色領域３ｂとされている。これらアルミニウム領域３ａ及び黒色領域３ｂで疑似光源部３が構成される。粘着剤層４はアルミニウム領域３ａに設けられているが、黒色領域３ｂには設けられていない。
【００４１】
図９は本発明の実施例５である。実施例５の基材２は、断面四角形の筒状に形成されている。この基板２の外面及び内面の両面が疑似光源部３とされているので、疑似光源部３が筒状をなしている。基材２の内面の疑似光源部３には、粘着剤層４が設けられているが、外面の疑似光源部３には、粘着剤層４が設けられていない。
【００４２】
図１０は本発明の実施例６である。実施例６の基材２は、実施例５と同様に筒状に形成されている。基材２の内面はアルミニウム領域３ａとされ、外面は黒色領域３ｂとされている。これらアルミニウム領域３ａ及び黒色領域３ｂで疑似光源部３が構成される。粘着剤層４はアルミニウム領域３ａに設けられているが、黒色領域３ｂには設けられていない。
【００４３】
図１１は、虫捕獲器１を用いて虫捕獲試験を行う場合について説明する図である。虫捕獲器１の間隔は２．５ｍである。
【００４４】
図１２は、実施例１〜６に係る虫捕獲器１を用いて虫捕獲試験を行った結果を示すグラフである。白色のグラフは粘着剤層４の面積、即ち粘着剤塗布面積が１５０ｃｍ２である場合を示し、斜線のグラフは粘着剤塗布面積が３００ｃｍ２である場合を示す。実施例１〜６に係る虫捕獲器１の設置状態は図１１に示した状態と同じである。光源は、白熱灯４０形であり、全光束量は４８５ｌｍである。光源と虫捕獲器１との距離は３０ｃｍである。場所は広島県廿日市市である。縦軸は、捕獲害虫の全数である。
【００４５】
この実験結果より、疑似光源部３の形状は、筒状（実施例４〜６）よりも平面状（実施例１）、屈曲状（実施例２）が好ましい。疑似光源部３の形状が筒状の場合（実施例４〜６）は、外面を黒色とした方（実施例４、６）が捕獲数が多くなる。図１３は、縦軸を蛾の捕獲数とした場合の結果を示すグラフである。
【００４６】
尚、虫捕獲器１で実際に捕獲した害虫は、ヤガ、メイガ、キバガ、ヒロズコガ、ハチ、ハエ、ユスリカ、カメムシ、羽アリ、ウンカ、ヨコバイ、コバエ等であった。従って、虫捕獲器１を用いることで多くの種類の害虫を捕獲できる。
【００４７】
以上説明したように、この実施形態に係る虫捕獲器１によれば、光源から放射される光を反射して疑似光源を形成するようにしたので、主に夜行性の虫を効率よく捕獲することができる。
【００４８】
また、アルミニウム領域３ａと黒色領域３ｂとを有する場合には、紫外線の反射率の相違によってコントラストを作り出すことができるので、虫が疑似光源部３に誘引されやすくなり、捕獲効率を高めることができる。
【００４９】
また、筒状に形成した疑似光源部３の内部で虫を捕獲するようにしたので、捕獲した虫を見えにくくすることができる。
【００５０】
上述の実施形態はあらゆる点で単なる例示に過ぎず、限定的に解釈してはならない。さらに、特許請求の範囲の均等範囲に属する変形や変更は、全て本発明の範囲内のものである。
【００５１】
また、虫捕獲器１は、光源の下に吊して使用してもよいし、置いて使用してもよい。また、光源の側方に設置することや光源の上方に設置することもできる。
【産業上の利用可能性】
【００５２】
以上説明したように、本発明に係る虫捕獲器によれば、例えば家の玄関灯の下に設置して使用することができる。
【符号の説明】
【００５３】
１          虫捕獲器
２          基板
３          疑似光源部
３ａ        アルミニウム領域
３ｂ        黒色領域
４          粘着剤層（捕獲部）
５          吊り下げ部材
【図１】
2014096997.tif 000003
【図２】
2014096997.tif 000004
【図３】
2014096997.tif 000005
【図４】
2014096997.tif 000006
【図５】
2014096997.tif 000007
【図６】
2014096997.tif 000008
【図７】
2014096997.tif 000009
【図８】
2014096997.tif 000010
【図９】
2014096997.tif 000011
【図１０】
2014096997.tif 000012
【図１１】
2014096997.tif 000013
【図１２】
2014096997.tif 000014
【図１３】
2014096997.tif 000015